(57)【要約】【課題】一条植えに畝たてした圃場内でコンベアを希望する高さに略水平に又は勾配を付けて設置するに当たり、平行畝にも直交畝にも対応でき、且つ、畝に対して斜め設置にも利用できるコンベア支持台を提供すること。【解決の手段】コンベア支持台の底面を略正方形の枠形状とし、前記枠形状をなす底辺部材の長さを畝たてピッチと略同じ長さとし、一対の底辺部材の略中央より垂直上方に一対の支柱を設け、前記支柱の上端部に架け渡す水平梁部材をコンベア受け梁として設ける構造とした。【選択図】図１
2017159986.tif 000002
【特許請求の範囲】
【請求項１】
一条植えに畝たてした露地野菜の生産圃場で、収穫物を箱詰した実入りの箱を圃場外に運び出す方法として、圃場内に単体又は複数を直列に連結して利用する主に定尺３メートルの重力式ローラコンベアを配列するに当たり使用する、ローラコンベアのフレーム下面を畝頂面より支持するローラコンベア支持台で、
前記ローラコンベア支持台は、同支持台の底面を構成する底面枠部材の概観平面は略正方形の四角い枠形状をなす４本の底辺枠部材で構成し、
前記底辺枠部材の中心線の長さが略畝たてピッチの長さに等しいことを第一の特徴とし、
対面する一対の底辺枠部材の略中間位置に垂直上方に一対の支柱を設け、
同一対の支柱の上端部に、ローラコンベアのフレーム下面を直接受ける水平梁部材のコンベア受け梁を、架け渡して設ける構造を特徴とする正方形底面門型ローラコンベア支持台。
【請求項２】
請求項１に記載の正方形底面門型ローラコンベア支持台にあって、同支持台に設ける前記コンベア受け梁の両端に同一軸心の回動軸を備え、同回動軸の軸受けを前記一対の支柱の上端部に設け、コンベア受け梁を回動自由な構造にした回動コンベア受け梁を備えることを特徴とする正方形底面門型ローラコンベア支持台。
【発明の詳細な説明】
【技術分野】
【０００１】
本発明は、圃場内で箱詰した収穫物の入った実入りの箱を、ローラコンベアを利用して搬出するに当たり、作業者の希望する高さに略水平に、又は重力を利用するに適した勾配を付けて、簡便に安定した状態にローラコンベアを設置するに適した、ローラコンベア支持方法に関する。
【背景技術】
【０００２】
圃場内で箱詰した収穫物の入った、実入りの箱をトラック乗り入れ道、ブーム道又は農道方向（以後、搬出方向と記す）に搬出する代表的な方法は、
一輪車を利用する方法、
人力で押す４輪の運搬台車、動力付き４輪の運搬台車、キャタピラー式運搬台車など台車を利用する方法と、トラックや後部に積載容器を備えたトラクターを圃場内に直接乗り入れる方法、
人力で持ち、全工程を歩いて運び出す方法、と
前記人力による方法を補助する目的で、足場板を畝頂面に畝と略直交する方向に敷き、畝溝に沿って歩き、足場板上を歩いて運び出す方法、
及び主にアルミ製のローラコンベア（以後、単にコンベアと記載する）を利用する方法などがあり、
上述の数種の方法を混用する場合もある。
【０００３】
一条植え畝の畝たてピッチは、略４５ｃｍ、５０ｃｍ及び６０ｃｍが代表的な寸法で、畝頂面の幅は、通常湾曲して平らではないが、概ね、１５ｃｍ、２０ｃｍ及び３０ｃｍ、のり面は７．５ｃｍ、又、畝溝の幅は概ね１５ｃｍと表現できるが、工業規格のごとく正確な物ではなく、実用上問題のない範囲で極めて曖昧な数字である。
又、畝たての方向は、ブーム道や作業道や農道など、搬出方向の道（以後、搬出道と記す）と平行に畝たてする平行畝、搬出道と直交する直交畝の二通りがあり、主に雨天時の排水、土や肥料の流失などに配慮し、同一生産者で両方の畝たてをする場合があり、稀に、搬出道と角度をもって畝たてする場合もある。
【０００４】
現在のコンベアの利用状況は、コンベアを畝頂面に直接又は木の角材を敷き、角材の高さ分だけ高い畝頂面に沿った高さに配列設置する場合があり、その場合、初速を与えて送り出しても途中で止まったり、脱線したり、コンベアの繋ぎ目で止まったりするので、作業者が介添えしながら搬出作業を進め、一区画の搬出が終わるとコンベアの移設を繰り返し運び出す方法、
プラスチックの収穫箱を１段、２段、稀に３段に重ね、コンベアを略水平な作業に適した中空位置に配列設置して、前述のごとく介添えしながら搬出作業を進め、一区画の搬出が終わるとコンベアの移設を繰り返し運び出す方法、
プラスチックの収穫箱を１段、２段、稀に３段に重ね、角木や木片などを補助的に使って、コンベアに勾配を付けて配列設置して、重力を利用しながら搬出作業を進め、一区画の搬出が終わるとコンベアの移設を繰り返し運び出す方法、
コンベアを直列二輪又は並列二輪を備えた台車に取り付けて設置し、一区画の搬出が終わるとコンベア全長の移動を繰り返しながら運び出す方法などがあるが、
畝の上面は凸凹で、圃場全体ではうねりや高低があり、連結するコンベアの繋ぎ目に段ができることが多く、
又、木の角材を利用する例では、木は重く利用が進むと水分を含んで重くなり、又腐食する難点があり、収穫が進むと共にコンベアを頻繁に移設する必要があるため、木の角材の利用も進んでいない。
又、プラスチックの箱に直接コンベアを乗せると、搬送する箱の振動で、コンベアが滑るので、滑り止め対策を採る必要がり、傾斜畑ではプラスチック箱の利用は進まない。
【０００５】
省力化・機械化を進める生産者は、作付面積を減らしても、軽トラック又は小型トラックを乗り入れる道、又はブーム道（トラクターが乗り入れる作業道の通称）を設けるが、前記ブーム道の設置間隔は略３０メートルが多いが、その設置間隔は保有するトラクターの後部に取り付ける消毒／散水に利用する散布装置の片側に張り出す多数のノズルを備えたブームの長さで決定し、多用されているブームの長さは略１５メートル、圃場内で箱詰した収穫物の入った箱をブーム道まで搬出する距離は片側に約１５メートルであり、３メートルの定尺コンベア５本分である。
【０００６】
農家の潜在的な希望は、総じて、作業時間を短縮し、肉体疲労を軽減し、生産コストを低減し、導入する機械器具は扱いが簡単で、シンプルで軽量なものを希望し、
段取りの手間が少ないこと、即ち、格納場所から使用場所までの回送、使用場所と次の使用場所までの回送、使用前後の組み立て分解及び回送車両への積み下ろしなどであり、
移動スピードが速いこと、特に圃場内での移動スピードで、箱の移動スピード（運搬車両のスピードと言い換えることもできる）を早くしたい、
運搬車両利用の場合は、運搬車両に向かって箱を持って移動して積み上げるので、この歩数と積み上げる手間、及び運搬車両からトラックなどへの積み替え作業の二度手間を減らしたく、
残渣で歩きにくい圃場は、特に雨が降ると滑りやすく、畝を横切る方向に歩く俗称蟹歩きの歩数は特に限りなくゼロにしたい、等がある。
【０００７】
現在の搬出作業のひとつの方向性はコンベアの導入であり、コンベアを導入した場合の現状の不都合を如何に解決するか、コストの面、圃場の面積や形状、畝幅や畝たての方向、一日の総出荷量や一圃場での一日の出荷量、作業者の員数、コンベアの組み立て設置、移設又は移動、格納庫と圃場間又は圃場間の回送手間、組み立て解体の手間、個々の単体重量等々を総合的に判断して、商品が提案され、ユーザーは提案されている商品の最適な組み合わせと導入コストを検討し、同時に新たな商品の登場を待っている。
【０００８】
大多数の生産者が導入しているコンベアの寸法は、ローラ長さ３００ｍｍ、本体横幅３６０ｍｍ、本体長さ３メートルで、一対のコンベアフレームの一端には一対の連結用フックを備え、他端には次に連結するコンベアの前記連結用フックと同じ形状のフックを引っ掛ける連結軸が左右のコンベアフレームを貫通して設けており、
コンベア両端に前記連結軸又は連結用フックを備える改造品を利用する場合も有る。
【０００９】
コンベアは単体で使用する場合、及び複数連結する場合の基準となるコンベアは、同コンベアの両端部下面の二箇所を支持する必要があり、
複数連結する場合の連結箇所の支持は、連結箇所のコンベア両端を同一の支持台で支持する場合と、
連結軸側を支持された被連結コンベアの連結軸に次のコンベアの連結用フックを被せて連結する方法の二つの連結支持方法がある。
【００１０】
コンベアの搬送方向の勾配は、ローラの両端に内蔵するベアリングの状態や押し出す初速度にもよるが、実用上約２度〜３度の勾配で設置すると、ゆっくりと重力で移動していく、この勾配は概算で３メートルに対し１０ｃｍ〜１６ｃｍである。
又、定尺３メートルのコンベアを水平又はゆるい逆勾配に設置しても、作業者が手加減を覚えて初速度を与えて送り出すと、水平又はゆるい逆勾配の箇所は容易に超えていくことができる。
一方、支持台を仮置きして傾きがある場合、高いところの支持台を足で踏みつけるなど、ある程度の傾きの矯正はできる。
又、コンベア全体に緩やかな捻りや横方向に若干の傾きがあっても、脱線することは少なく、その限界は作業者が経験で覚え、対応することになるが、
一番の問題は、勾配が急で、速度が速くなることと、コンベア本体がズレ動くことである。
【００１１】
アルミなどの金属とプラスチック箱及びアルミなどの金属とアルミなどの金属の直接接触は、搬送中の箱が起こす振動でズレ動くので、ズレ止め対策や完全な固定手段が必要である。
【００１２】
一般に、農道は狭い場合が多く、道交法の対象と成る公道でもあるので、車両やトラクターを長時間留め置くことは控えられ、必然的に搬出道に小型トラックや軽トラックやトラクターなどを乗り入れ、それら車両を移動することが困難な場合が多発し、その様な場合に、コンベアを斜めに設置する必要が生じる。
【００１３】
多くの生産者は機械器具の利用に不都合な環境では、人力による作業を厭わない。別の表現をすると、工場内設備のように、完璧に課題を解決することは不可能である。
【先行技術文献】
【特許文献】
【００１４】
【特許文献１】特開２０１４−２２７２４１号公報
【特許文献２】特開２０１２−１５８４３９号公報
【発明の概要】
【発明が解決しようとする課題】
【００１５】
工場内の物品搬送用に開発されたローラコンベアを、組み立て仮設、移動、分解を頻繁に繰り返す作業現場、特に農業の一条植えの露地野菜生産圃場において箱詰めした収穫物搬出作業に活用するために、
圃場のうねりや高低及び畝上面の凸凹の影響を少なくし、コンベアの繋ぎ目に段差が生じないように連結し、
作業者の希望する高さに、圃場の面に沿って、コンベアを設置し、
又、ローラコンベアに勾配を付けて設置し、重力を利用して、箱が自重で動く力を利用し、
又、畝たて方向と平行に、又は畝たて方向と直交する方向に、又は畝たて方向と角度をもってコンベアを配置し、
又、コンベアとコンベアを支持するものとが滑らない構造又は簡便に固定する構造とし、
又頻繁な移設に対応するために、可能な限り全てのものを軽量化し、仮設、解体、回送が簡単にできる、前述のようなコンベア支持台を提供することを課題とする。
【課題を解決するための手段】
【００１６】
ローラコンベアと圃場の間に、ローラコンベア支持台を配置することとし、同コンベア支持台は、
圃場に接する底面の形状を略正方形の枠形状とし、前記枠形状をなす底辺部材の長さを略畝たてピッチと同じ長さとし、前記底面を９０度平面で旋回設置しても、平行する畝の頂面の略中央に、必ず一対の底辺部材が位置し、他方の一対の底辺部材は畝溝を跨いで前記平行する畝の頂面に架け渡した状態となる構造とし、
又、一対の底辺部材の略中央より垂直上方に一対の支柱を設け、前記支柱の上端部に架け渡す水平梁部材をコンベア受け梁として設け、
又、前記コンベア受け梁を回動自由な構造の回動コンベア受け梁として設け、同回動コンベア受け梁の上面とコンベアフレームの底面と接する面が、コンベアの勾配に倣って自由に角度を変えられる構造とし、
又、前記一対の支柱の長さのみを変更して異なる高さのコンベア支持台を製作する構造とし、
又、コンベア受け梁及び回動コンベア受け梁の長さは略畝たてピッチと同じ長さとし、
又、上述のローラコンベア支持台の主要部材の素材をアルミニュームとした。
【発明の効果】
【００１７】
ローラコンベアを圃場内に仮設するに当たり、圃場のうねりや高低及び畝上面の凸凹の影響を少なくし、
又、平行畝、直交畝の両方に使用することができ、コンベアを畝たて方向と角度をもって設置することもでき、
又、圃場に合わせ、コンベア支持台の高さを選ぶことで、コンベアを作業者が希望する高さに略平行に仮設することができ、
又、回動コンベア受け梁を使用すれば、希望する勾配を付けて設置することもでき、
又、アルミニューム製なので、軽量化でき、腐食にも強く吸湿しないものを提供することができる。
【図面の簡単な説明】
【００１８】
【図１】本発明の一実施形態に係る正方形底面門型ローラコンベア支持台を示す概略的鳥瞰図で、回動コンベア受け梁４１を離して記載し、二本の矢印で取り付け位置を表記した図。
【発明を実施するための形態】
【００１９】
以下、図面を参照しつつ、本発明の実施の形態を説明する。
【００２０】
図１に示す正方形底面門型ローラコンベア支持台１は、底辺枠部材２、一対の支柱３及びコンベア受け梁４を主要構成部品として構成する。
【００２１】
＜コンベア受け梁＞
コンベア受け梁４は、同受け梁４を一対の支柱３の上端に架け渡して固定する機種と
同コンベア受け梁４の両端に回動軸４２を設けた回動コンベア受け梁４１を、一対の支柱３の上端部に設けた軸受３１に組み込む機種の二機種があり、
前記コンベア受け梁４を支柱３に固定する機種には、同受け梁４のコンベアフレーム底面と接する面を略水平に固定する機種と略２〜３度の勾配を付けて固定する機種の二種類があり、
コンベア受け梁４は、基本はコンベアと直交する横方向でコンベアフレーム受けるが、概ね畝たてピッチ幅５に近い寸法（一例を示すと４５ｃｍ）なので、コンベア（横幅の一例を示すと３６ｃｍ）をコンベア受け梁４に角度をもって配置することも、前述のコンベア受け梁４の長さの範囲で可能である。
コンベア受け梁４の基本的な畝や畝溝に対する位置は、平行畝に用いる場合は畝たて方向と同一方向で畝溝の略真上に位置し、直交畝に用いる場合は畝たて方向と直行方向で畝溝の略真上にコンベア受け梁４の中央が位置するが、いずれの場合でも、底面枠部材２の設置位置に追随する。
尚、コンベアフレーム底面とコンベア受け梁４の間で、ズレ動く懸念がある場合は、ゴムシートなどを間に挟む方法、
又は、両者を挟み締めする構造として、クランプで固定する対策等をとると良い。
【００２２】
＜底面枠部材＞
底面枠部材２は、概略正方形の枠形状をした底面材で、一対の底辺枠部材Ａ２１と一対の底辺枠部材Ｂ２２で構成し、一対の底辺枠部材Ａ２１にはその中央に垂直上方に一対の支柱３を設け、
一対の底辺枠部材Ａ２１と一対の底辺枠部材Ｂ２２の中心線２１１及び２２１間距離５１及び５２は概ね畝たてピッチ５と同じ寸法で製作するが、畝幅の許容範囲内で前記寸法５１及び５２は長くしても短くしてもよく、
又前記寸法５１及び５２は完全に同一でなくても良く、
又一対の底辺枠部材Ａ２１と一対の底辺枠部材Ｂ２２の中心線２１１又は２２１は、畝頂面の中心線と、畝幅の許容範囲内で、角度をもって設置しても良く、この場合コンベア受け梁４は底面枠部材２の設置位置に追随する。
【００２３】
＜一対の支柱＞
一対の支柱３はコンベア受け梁４の両端を支持する役目と、同受け梁４の地上高さを異なる物とする役目があるが、
コンベアを圃場表面に沿って一定の高さに配置する場合は、支柱３の高さは例えば腰の高さとし、
又、コンベアに勾配を付けて配列する場合は、例えば１０ｃｍ刻みで高さの異なる物を配置するが、勾配を付けるコンベアと略水平に配置するコンベアが混在する場合もある。
【００２４】
＜発明商品の利点＞
平行畝、直交畝の両方に利用でき、コンベアを正方形底面門型ローラコンベア支持台１と畝たて形状の制約範囲内で、畝に対して斜めにも配列できる。
【００２５】
〔その他の実施形態〕
本発明は上述の実施形態に限定されるものではなく、又同じ農業で２条植え、３条植え、４条植えに利用する場合は、畝頂面の幅が広くなり、畝溝の影響がほとんどなくなるので、十二分に活用できる。
【産業上の利用可能性】
【００２６】
上述のように、本発明の正方形底面門型ローラコンベア支持台は、コンベア利用に当たり、平行畝にも直交畝にも利用でき、畝と角度を付けて斜めに、又は勾配を付けて配置でき、工具を持ち歩かずにコンベアの設置、移設、解体撤去が簡単迅速に行え、又自重が軽いので、作業者の歩数を激減させ、肉体負荷を軽減し、作業時間を短縮することに大いに寄与する。
【符号の説明】
【００２７】
１    正方形底面門型ローラコンベア支持台
２    底面枠部材で一対の底辺部材Ａと一対の底辺部材Ｂで構成する
２１  底面枠部材を形成する一対の底辺部材Ａで、中央に支柱を設けた部材
２２  底面枠部材を形成する一対の底辺部材Ｂで、中央に支柱を設けない方の部材
２１１底辺枠部材Ａ２１の中心線の引き出し線
２２１底辺枠部材Ｂ２２の中心線の引き出し線
３    一対の支柱
３１  支柱上端部に設けた回動軸の軸受け穴
４    コンベア受け梁
４１  回動コンベア受け梁
４２  回動軸
５    畝たてピッチの長さ
５１  一対の底辺枠部材Ａ２１の中心間距離
５２  一対の底辺枠部材Ｂ２２の中心間距離
【図１】
2017159986.tif 000003